(57)【要約】【課題】キーボードによる入力のさい、狭い机上で作業をするが、用紙がキーボードの上にかぶってしまい入力し難く、作業内容に合わせてその都度キーボードの移動をしながら作業をする現状を無くすためのキーボード台を提供する。【解決手段】キーボードの下に空間を作り、作業をする用紙がキーボードの下に差し込まれる事で、狭い机上の作業面積を有効利用でき、又、大きな用紙も簡単にキーボードの下へ差し込み可能な構造を持つ、用紙がキーボードの下に差し込み自在な空間を持つ事を特徴とする。【選択図】  図１
2005018713.tif 000002
【特許請求の範囲】
【請求項１】
上板（１）、下板（２）、ズレ止め（３）、側板（４）、裏面板（５）、開口部（６）、斜角度（７）、差し込み部（８）、裏面高さ（９）、で構成したキーボード台で、キーボードの下に空間を保ち、用紙を抜き差し自在に可動する事が出来る構造で、差し込み口（８）は約１０ｍｍの空間を保ち、さらに裏面には、差し込み口から挿入した用紙をさらに用紙を差し込める裏面板（５）中央の開口部（６）を設け、台の上はキーボードを乗せてもキーボードがズレ落ちない様に上板の先端にズレ止め（３）を加工し、上板（１）の角度はキーボードが机上より約１０ｍｍ上がっても、キー入力し易い角度を保ち、斜角度（７）を約７８度にする事により、入力するさい手の疲労を和らげることも出来、キーボード台の形状がコの字のため、キーボード台にキーボードを乗せて入力作業をする場合、下板（２）と上板（１）との間に、揺れ、振動を和らげる目的で側板（４）を融着する事で、揺れも、振動も和らげる事ができる、用紙が抜き差し自在のキーボード台である。
【発明の詳細な説明】
【０００１】
【発明の属する技術分野】
本発明は、パーソナルコンピューターやワープロ等の入力装置であるキーボードの下に空間を設け、作業面の効率を高める機能を持ったキーボード台に関するものである。
【０００２】
【従来の技術】
最近は、コンピューターが普及しておりあらゆる場所において、作業台や机の上にコンピューターが設置されている事が多くなってきたが、一般的には、デスクトップ型とノート型であり、デスクトップ型は主にに本体とディスプレー及びキーボードから成り立っている。
これらを机の上に設置すると机の上のスペースは、限られた面積に限定され、コンピューターで入力作業をする場合、キーボードは作業する者の前に置かれるが、作業しない場合は、机の有効スペースを確保するために隅の方へ移動して、机上の作業をしたりして、繰り返しで入力作業を行っていた。
【０００３】
又、従来にはキーボードを作業時に一時的に収納し、収納した箱の上に乗せて入力作業をしたり、キーボードを収納した箱の上を作業面として使うキーボード台はあった。（例えば特許文献１参照）
【０００４】
【特許文献１】
特開平１１−０２４８２０号公報
【０００５】
【発明が解決しようとする課題】
しかし、縦長の用紙を置くだけのスペースは思う様に取れないのが現実である。
それでも入力をする場合はとりあえず、用紙をキーボードの下に置き、見にくいながらもキーボードを動かしたり、用紙を動かしたりしながら入力作業をしていた。
又は、縦長の用紙はキーボードに掛からない様に置くには、机の手前から垂れ下げた状態で入力せざるを得なかった。
【０００６】
上記の煩わしさを解消すべく、キーボードの下に用紙を抜き差し自在な台を置く事により机の上のスペースを有効に使える事の出来るキーボード台を提供することである。
【０００７】
【課題を解決する為の手段】
従来キーボード入力をするさい、机の上に大きなスペースの無い状態でキーボード入力をする場合は、用紙の上に直接的にキーボードを置いいて入力作業をしていたため、用紙に直接書き込みをしたり、キーボードの下になっている部分の書き込み部を読もうとする場合など、その都度、キーボードを他の位置へ動かさないと、書き込み部を読んだり、用紙に直接書き込む事が不便だった。
【０００８】
そこで、キーボードの下に空間があれば、大きな用紙であってもキーボードの下の空間にようしを差し込んでしまえば、用紙を机の上にキチンと置いてもキーボードは用紙の上にあるが、用紙の上に直接的に物が置かれている状態で無いので容易に差し込まれた用紙は可動する事が出来る。
【０００９】
又、キーボードを乗せる台の空間は、キーボードの真下（巾）の範囲だけが空間ではなく、用紙の大きさにとらわれない、空間が取れる構造のためキーボードを正面に置いても、斜めに置いてもキーボードの下はキーボードより大きな巾の用紙でも差し込める空間を保てる構造に成っているので、キーボードをその都度動かさなくても用紙に書き込む事も、キーボードの下に成ってしまった書き込み部も容易に読める事も出来るキーボード台である。
【００１０】
さらに、キーボード台の下に空間を作る事により、キーボード台を使用するさいはキーボードが通常の位置より上に上がってしまう事となるが、上に上がっても入力作業をし易くさせるために、キーボード台に適度な角度を付ける事により、従来平らな机の上で入力する時よりも更に入力し易い角度を持ったキーボード台となった。
【００１１】
又、角度のついたキーボード台のためキーボードが下へズレ落ちない様にキーボード台の上の板手前に折り返しの立上り部を設ける事により、安定した状態でキーボードに入力作業が出来る、用紙が抜き差し自在な空間を有するキーボード台である。
【００１２】
【発明の実施の形態】
本発明の形態については図面を参照して構成に付いて詳細に説明する。
図１は、本発明によるキーボード台の斜視図であるが、次の５カ所の重要なポイントがある。
【００１３】
キーボード台ズレ止め３、側板４、開口部６、斜角度７、差込部８、を有しキーボード台にキーボードを乗せた場合本体下板２をベースとすると、本体上板１がキーボード台の重圧により下板の方に垂れ下がらないための側板４を儲け差込部８の空間を保つ構造とする。
【００１４】
又、差し込み部８の空間は約１０ｍｍとする。
したがって、キーボード台の上にキーボードを乗せると、通常キーボードを使用する場合よりキーボードの高さは約１０ｍｍ高く成ってしまうため、キーボードに入力し難くならない様に、キーボード台に適度な角度を付ける事で、従来の入力角度より更に入力し易い角度を持つキーボード台である。
【００１５】
その角度は、人の手首は机において軽く指先を上げると、指先先端の高さの角度は約１２度である。
キーボードの奥行き巾は約１５０ｍｍであるため、キーボード台手前から約１５０ｍｍ〜２００ｍｍ先の高さが約５０ｍｍとなる。
したがって、約５０ｍｍからキーボード台の差し込み部８（空間）１０ｍｍを差し引いた高さがキーボード台裏面の高さ４０ｍｍとし、裏面板５から差し込み部へ至る上板の斜角度７は約７８度になる。
【００１６】
デスクトップ型（キーボード分離置き）のキーボード台の角度は前記の通り約７８度であるが、ノート型の場合はキーボードが一体型であるため、キーボード台の奥行き長さが、デスクトップ型より長いため約７８度を保持する裏面板高さはキーボード台の奥行き寸法により変化する。
【００１７】
又、裏面板開口部６は大きな用紙、図面等を机上で作業する場合、開口部へ用紙を差し込めるための開口部を有し、キーボード台にキーボードを乗せて作業をする場合、入力するさいの振動によりキーボードが下へズレ落ちを防ぐためにキーボード台上板１の手前先端を台に対し上方向え向く支え部を設ける事によりキーボードのズレを防止するズレ止め部３を向けている。
【００１８】
【実施例】
使用方法は、机上においてキーボード台を使用するさいキーボード台を入力し易い位置へ置くと、キーボードと机の端までは大きな用紙、図面（Ａ２サイズ）等を置いた場合、通常で有ればキーボードの上に用紙をかぶせないと用紙を置けなかった。
この様な場合キーボードをキーボード台に乗せて使用する事でキーボード台の差し込み部８へ用紙を差し込む事により、用紙はキーボード台の裏面板５に当たる迄差し込む事で、大きな用紙も机の端から垂れる事も無く、楽に入力作業をすることが出来るようになった。
【００１９】
裏面板開口部６を使った使用法は、大きな図面（Ａ２サイズ）等を多く使用する場合は、キーボード台を机上の斜め上に置き、図面等の用紙を机上正面に置いた場合、用紙の斜め上はキーボードの上にかぶり入力作業は出来ない。
この場合、キーボード台の差し込み部８から用紙を差し込み、更に裏面板開口部６へ用紙を差し込むと大きな用紙は、机上に綺麗に置けて、キーボードも楽に入力する事も出来るようになった。
【００２０】
【発明の効果】
以上の様に狭い机上にパソコン以外にも事務用品、書籍なども置いてあり限られたスペース内でキーボードを使用している。
当然大きな用紙を使ってのキーボード入力作業は、キーボードの上に用紙がかぶってしまい入力しにくい状態で作業をしていたが、本発明のキーボード台を使う事により、大きな用紙もキーボード台の下に差し込めるため、キーボードの上に用紙もかぶる事も無く、又、約７８度傾斜の付いた台のため楽に入力作業も出来、机上の面積も有効的に使う事が出来るようになった用紙をキーボード台の下へ差し込み自在なキーボード台である。
【図面の簡単な説明】
【図１】本発明の前面斜視図である。
【図２】本発明の裏面斜視図である。
【図３】本発明の正面図である。
【図４】本発明の裏面図である。
【符号の説明】
１  上板（板厚１．６ｍｍ）
２  下板（板厚１．６ｍｍ
３  ズレ止め部
４  側板
５  裏面板
６  開口部
７  斜角度
８  差し込み部（空間）
９  裏面高さ
【図１】
2005018713.tif 000003
【図２】
2005018713.tif 000004
【図３】
2005018713.tif 000005
【図４】
2005018713.tif 000006